(57)【要約】【課題】電気光学素子の特性バラツキを電気的に補償することが可能な電気光学装置及び電子機器を提供する。【解決手段】データ線駆動回路１３の演算器３３は、画像データＤＴを補正データメモリ３１の補正データΔｈ１〜Δｈｍを用いて補正してラインメモリ３４に出力する。ラインメモリ３４は、第２タイミング信号ＳＴ２に応答して、各メモリ部３４ａにラインデータに含まれる補正された各階調データがそれぞれ記憶される。各メモリ部３４ａに記憶された各階調データは、デジタル・アナログ変換回路３５の対応する変換部３５ａに出力され、各変換部３５ａは入力した階調データに基づいて各データ線Ｘ１〜Ｘｍに供給するアナログデータ電流Ｉｄ１〜Ｉｄｍを生成する。各データ線Ｘ１〜Ｘｍのアナログデータ電流Ｉｄ１〜Ｉｄｍは、各データ線Ｘ１〜Ｘｍ毎に補正データΔｈ１〜Δｈｍで補正された階調データに基づいて生成される。【選択図】        図２
2004246029.tif 000002
【特許請求の範囲】
【請求項１】
複数の走査線と、複数のデータ線と、前記複数の走査線と前記複数のデータ線との交差部に対応して設けられ、各々が電気光学素子を含む複数の画素回路と、を含む電気光学装置であって、
前記複数の画素回路に前記複数のデータ線を介してデータ信号を供給するためのデータ線駆動回路と、
前記電気光学素子の特性のバラツキに応じてデータ信号を補正するための補正データを記憶する補正データメモリと、を含み、
前記データ線駆動回路は、前記補正データメモリに記憶された前記補正データに基づき前記複数の画素回路に供給するデータ信号を補正すること、
を特徴とする電気光学装置。
【請求項２】
請求項１に記載の電気光学装置において、
前記補正データは、前記複数のデータ線の各々に対してそれぞれ設定されていることを特徴とする電気光学装置。
【請求項３】
請求項２に記載の電気光学装置において、
前記補正データは、前記複数の画素回路のうち、予め定められた領域内の画素回路に対して設定されていることを特徴とする電気光学装置。
【請求項４】
請求項１乃至３のいずれか一つに記載の電気光学装置において、
前記特性は、前記電気光学素子の初期輝度であること、
を特徴とする電気光学装置。
【請求項５】
請求項１乃至４のいずれか一つに記載の電気光学装置において、
前記電気光学素子は、ＥＬ素子であること、
を特徴とする電気光学装置。
【請求項６】
請求項５に記載の電気光学装置において、
前記ＥＬ素子は、発光層が有機材料で構成されていることを特徴とする電気光学装置。
【請求項７】
請求項１乃至６のいずれか一つに記載の電気光学装置において、
前記データ線駆動回路は、
前記補正データを記憶した補正データメモリと、
前記補正データと前記電気光学素子の輝度を設定するための画像データを入力し、前記画像データを前記補正データにて補正する演算器と
を備えたことを特徴とする電気光学装置。
【請求項８】
請求項１乃至７のいずれか一つに記載の電気光学装置を実装したことを特徴とした電子機器。
【発明の詳細な説明】
【０００１】
【発明の属する技術分野】
本発明は電気光学装置及び電子機器に関する。
【０００２】
【従来の技術】
従来、電気光学装置、例えば、複数の有機ＥＬ素子を含む有機ＥＬディスプレイは、各々は有機ＥＬ素子を構成する発光層やキャリア輸送層などの膜を積層することによって形成されている（例えば、特許文献１を参照）。しかしながら、発光層やキャリア輸送層などを全ての有機ＥＬ素子について均一に製造することは困難である。
【０００３】
【特許文献１】
特開平５−２５８８６０号公報
【０００４】
【発明が解決しようとする課題】
そこで、本発明は電気光学素子の特性バラツキを電気的に補償することが可能な電気光学装置及び電子機器を提供することである。
【０００５】
【課題を解決するための手段】
本発明における電気光学装置において、複数の走査線と、複数のデータ線と、前記複数の走査線と前記複数のデータ線との交差部に対応して設けられ、各々が電気光学素子を含む複数の画素回路と、を含む電気光学装置であって、前記複数の画素回路に前記複数のデータ線を介してデータ信号を供給するためのデータ線駆動回路と、前記電気光学素子の特性のバラツキに応じてデータ信号を補正するための補正データを記憶する補正データメモリと、を含み、前記データ線駆動回路は、前記補正データメモリに記憶された前記補正データに基づき前記複数の画素回路に供給するデータ信号を補正する。
【０００６】
これによれば、データ線上に接続された各画素回路に供給されたデータ信号は、共通の補正データにて補正される。従って、データ線上に接続された各画素回路に含まれる共通の電気光学素子の特性のバラツキ、例えば電気光学素子の輝度バラつき等は、この補正データで一様に補償することが可能となる。
【０００７】
この電気光学装置において、前記補正データは、前記複数のデータ線の各々に対してそれぞれ設定されている。
これによれば、各データ線上に接続された各画素回路に供給されたデータ信号は、共通の補正データにて補正される。従って、データ線上に接続された各画素回路に含まれる共通の電気光学素子の特性のバラツキ、例えば電気光学素子の輝度バラツキ等は、この補正データで一様に補償することが可能となる。
【０００８】
この電気光学装置において、前記補正データは、前記複数の画素回路のうち、予め定められた領域内の画素回路に対して設定されている。
これによれば、所定の領域において、その所定の領域に属するデータ線上に接続された各画素回路に含まれる共通の電気光学素子の特性のバラツキを補償することができる。
【０００９】
この電気光学装置において、前記特性は、前記電気光学素子の初期輝度である。
これによれば、各画素回路に含まれる共通の電気光学素子の初期輝度のバラツキが補償される。
【００１０】
この電気光学装置において、前記電気光学素子は、ＥＬ素子である。
これによれば、ＥＬ素子は駆動トランジスタの導通状態に相対して発光する。
【００１１】
この電気光学装置において、前記ＥＬ素子は、発光層が有機材料で構成されている。
これによれば、ＥＬ素子は有機材料で構成されている。
【００１２】
この電気光学装置において、前記データ線駆動回路は、前記補正データを記憶した補正データメモリと、前記補正データと前記電気光学素子の輝度を設定するための画像データを入力し、前記画像データを前記補正データにて補正する演算器とを備えた。
【００１３】
これによれば、データ線駆動回路の演算器は、補正データメモリに記憶した補正データを使って、画像データを補正する。
【００１４】
本発明における電子機器は、上記電気光学装置を実装した。
これによれば、電子機器の表示品位を向上させることができる。
【００１５】
【発明の実施の形態】
本実施形態では、インクジェット方式を用いることにより形成された有機ＥＬ素子を含む電気光学装置を例に挙げて説明する。
【００１６】
図５は、インクジェット方式による有機ＥＬ素子の形成原理を示す。図５において、基板１上には、バンク２が四角升目状に形成され、そのバンク２にて形成された升目内に発光層が有機ＥＬ材料よりなるＥＬ層が成膜される。つまり、各升目内に、アレイヘッド４に備えた複数本の噴射ノズル５から有機ＥＬ材料を溶媒に溶かしてなる液体３を吐出し、乾燥させることによって、ＥＬ層が成膜される。
【００１７】
詳述すると、前記基板１の上方において左右方向の所定の領域Ａに配置したアレイヘッド４を、図５において紙面に対して垂直方向（前後方向という）に移動させる。このとき、複数本の噴射ノズル５から液体３を吐出させながら移動させることにより、基板１に前後方向に並んだ各升目内にその液体３が貯留する。そして、前記領域Ａにおいて前後方向の端から端までの各升目内への液体３の貯留が完了すると、アレイヘッド４をガイド部材６に沿って左右方向に移動（改行）させ、基板１に対して新たな領域Ｂに配置する。新たな領域Ｂに配置されると、前記と同様に、噴射ノズル５から液体３を吐出させながらアレイヘッド４を移動させる。これによって、この新たな領域Ｂにおける基板１の前後方向に並んだ新たな各升目内に液体３が貯留される。このような動作を以後の各領域Ｃ，Ｄ…について繰り返すことによって、基板１上に形成された全ての升目内に有機ＥＬ材料を溶媒に溶かしてなる液体３が貯留される。
【００１８】
以下、本発明を具体化した第１実施形態を図１〜図５に従って説明する。
図１は、電気光学装置としての有機ＥＬディスプレイ１０の電気的構成を示すブロック回路図を示す。図１において、有機ＥＬディスプレイ１０は、表示パネル部１１、走査線駆動回路１２、データ線駆動回路１３及び制御回路１４を備えている。
【００１９】
有機ＥＬディスプレイ１０の表示パネル部１１、走査線駆動回路１２、データ線駆動回路１３及び制御回路１４は、それぞれが独立した電子部品によって構成されていてもよい。例えば、走査線駆動回路１２、データ線駆動回路１３及び制御回路１４が１チップの半導体集積回路装置によって構成されていてもよい。また、表示パネル部１１、走査線駆動回路１２、データ線駆動回路１３及び制御回路１４の全部若しくは一部が一体となった電子部品として構成されていてもよい。例えば、表示パネル部１１に、データ線駆動回路１３と走査線駆動回路１２とが一体的に形成されていてもよい。走査線駆動回路１２、データ線駆動回路１３及び制御回路１４の全部若しくは一部がプログラマブルなＩＣチップで構成され、その機能がＩＣチップに書き込まれたプログラムによりソフトウェア的に実現されてもよい。
【００２０】
表示パネル部１１は、図１に示すように、マトリクス状に配列された複数の画素回路２０を有している。つまり、各画素回路２０は、その列方向に沿ってのびる複数（ｍ本）のデータ線Ｘ１〜Ｘｍ（ｍは整数）と、行方向に沿ってのびる複数（ｎ本）の走査線Ｙ１〜Ｙｎ（ｎは整数）との交差部に対応して配置されている。そして、各画素回路２０は、対応する各データ線Ｘ１〜Ｘｍと各走査線Ｙ１〜Ｙｎとの間にそれぞれ接続されることにより、マトリクス状に配列されている。各画素回路２０には発光層が有機材料で構成された電気光学素子としての有機ＥＬ素子２１（図２参照）を有している。本実施形態では、各有機ＥＬ素子２１は、前記したインクジェット方式で表示パネル部１１の基板上に形成されたものであって、アレイヘッド４が、列方向に移動しながら噴射ノズル５から有機ＥＬ材料を溶媒に溶かしてなる液体３を吐出させて形成している。即ち、一つのデータ線に対して接続されている全ての画素回路２０の有機ＥＬ素子２１におけるＥＬ層の膜厚はほぼ同じとなって、膜厚の相違に基づく輝度のバラツキは非常に小さい。尚、画素回路２０内に形成される後記するトランジスタは、通常は薄膜トランジスタ（ＴＦＴ）で構成している。
【００２１】
図２は、画素回路２０の内部回路構成を説明するための電気回路図を示す。尚、説明の便宜上、ｍ番目のデータ線Ｘｍとｎ番目の走査線Ｙｎとの点に配置され、両データ線Ｘｍと走査線Ｙｎとの間に接続された画素回路２０について説明する。
【００２２】
画素回路２０は、駆動トランジスタＱｄ、第１及び第２スイッチングトランジスタＱｓｗ１，Ｑｓｗ２、開始トランジスタＱｓｔ及び保持キャパシタＣ１を有している。駆動トランジスタＱｄは、ＰチャネルＦＥＴより構成されている。第１及び第２スイッチングトランジスタＱｓｗ１，Ｑｓｗ２及び開始トランジスタＱｓｔは、ＮチャネルＦＥＴより構成されている。
【００２３】
前記駆動トランジスタＱｄは、ドレインが開始トランジスタＱｓｔを介して前記有機ＥＬ素子２１の陽極に接続されて、ソースが電源線Ｌ１に接続されている。電源線Ｌ１には、有機ＥＬ素子２１を駆動させるための電源電圧ＶＯＥＬが供給されている。駆動トランジスタＱｄのゲートと電源線Ｌ１との間には、前記保持キャパシタＣ１が接続されている。また、駆動トランジスタＱｄのゲートは、前記第１スイッチングトランジスタＱｓｗ１及び第２スイッチングトランジスタＱｓｗ２を介してデータ線Ｘｍと接続されている。
【００２４】
第１スイッチングトランジスタＱｓｗ１と第２スイッチングトランジスタＱｓｗ２の接続点は、前記駆動トランジスタＱｄのドレインと接続されている。第１及び第２スイッチングトランジスタＱｓｗ１，Ｑｓｗ２のゲートは、走査線Ｙｎを構成する第１の副走査線Ｙｎ１に接続され、その第１の副走査線Ｙｎ１から第１走査信号ＳＣｎ１が入力される。そして、第１スイッチングトランジスタＱｓｗ１及び第２スイッチングトランジスタＱｓｗ２が、第１走査信号ＳＣｎ１に基づいて後記するようにオン・オフされる。すると、前記データ線Ｘｍから供給される後記するデータ信号としてのアナログデータ電流Ｉｄｍが保持キャパシタＣ１に供給されるようになっている。
【００２５】
前記開始トランジスタＱｓｔのゲートは、走査線Ｙｎを構成する第２の副走査線Ｙｎ２に接続され、その第２の副走査線Ｙｎ２からの第２走査信号ＳＣｎ２が入力される。そして、開始トランジスタＱｓｔは、前記駆動トランジスタＱｄがオン状態において、第２走査信号ＳＣｎ２に基づいてオンされると、前記有機ＥＬ素子２１に駆動電流を供給するようになっている。
【００２６】
このように構成された画素回路２０において、順次選択される一つの走査線に対応した画素回路２０にアナログデータ電流Ｉｄｍが書き込まれると、そのアナログデータ電流Ｉｄｍに応じた電流レベルの駆動電流を駆動トランジスタＱｄは有機ＥＬ素子２１に供給する。図３に示すように、第１及び第２スイッチングトランジスタＱｓｗ１，Ｑｓｗ２、及び、開始トランジスタＱｓｔを所定のタイミングでオン・オフ制御することによってデータ書き込みが行われる。第１の副走査線Ｙｎ１にＨレベルの第１走査信号ＳＣｎ１が出力されると、第１及び第２スイッチングトランジスタＱｓｗ１，Ｑｓｗ２は共にオン状態となる。これによって、データ線Ｘｍからアナログデータ電流Ｉｄｍが第１及び第２スイッチングトランジスタＱｓｗ１，Ｑｓｗ２を介して供給される。従って、保持キャパシタＣ１は、アナログデータ電流Ｉｄｍに基づく電荷量となる。その結果、駆動トランジスタＱｄのゲートに印加される電圧は、アナログデータ電流Ｉｄｍに基づいて設定した輝度階調に相当する電圧に到達する。
【００２７】
続いて、開始トランジスタＱｓｔが第２走査信号ＳＣｎ２に応答してオンすると、駆動トランジスタＱｄは、下がったゲート電圧に応答してオン動作し、そのゲート電圧に相対した駆動電流が有機ＥＬ素子２１に供給される。有機ＥＬ素子２１は、供給される駆動電流に基づいて設定した輝度階調で発光する。
【００２８】
走査線駆動回路１２は、前記複数の走査線Ｙ１〜Ｙｎの中の１本を選択、即ち走査信号を出力してその選択された走査線に接続された各画素回路２０を駆動するための回路である。走査線駆動回路１２は、制御回路１４からの各種信号に基づいて各走査線Ｙ１〜Ｙｎに対して所定のタイミングで前記Ｈレベルの走査信号ＳＣ１１〜ＳＣｎ１，ＳＣ１２〜ＳＣｎ２をそれぞれ出力する。
【００２９】
データ線駆動回路１３は、前記各データ線Ｘ１〜Ｘｍに対してそれぞれアナログデータ電流Ｉｄ１〜ＩｄｍをＨレベルの走査信号ＳＣ１１〜ＳＣｎ１と同期して出力する。データ線駆動回路１３は、補正データメモリ３１、セレクタ３２、演算器３３、ラインメモリ３４及びデジタル・アナログ変換回路３５を備えている。
【００３０】
補正データメモリ３１は、前記各データ線Ｘ１〜Ｘｍの数だけメモリ部３１ａを備え、そのメモリ部３１ａにはそれぞれ対応するデータ線Ｘ１〜Ｘｍに対する補正値のデータ（補正データΔｈ１〜Δｈｍ）が記憶されている。この各補正データΔｈ１〜Δｈｍは、予め試験等を行なって求めたデータである。詳述すると、各データ線Ｘ１〜Ｘｍ上にそれぞれ接続された各画素回路２０の有機ＥＬ素子２１は、前記したインクジェット方式によって、図５に示すように、それぞれの領域Ａ，Ｂ，Ｃ…において前後方向に移動する際に順番に同一の噴射ノズルが吐出する液体によって形成されたものである。
【００３１】
ところで、各領域Ａ，Ｂ，Ｃ、Ｄ…において、前後方向に移動させてその前後方向の各升目に形成されるＥＬ層の膜厚は、各領域毎で、ＥＬ層の膜厚が変わり、有機ＥＬ素子２１に同じ値の駆動電流を供給しても輝度（初期輝度）が変化する。そして、その前後方向に移動する方向に形成される各有機ＥＬ素子２１は、共通のデータ線からデータ信号が供給され、そのデータ信号に基づいて駆動されるようになっている。従って、データ線駆動回路１３から、各データ線に例えば同じ値のデータ信号を出力しても、データ線毎に、形成される有機ＥＬ素子のＥＬ層の膜厚相違によってその輝度が変わる。
【００３２】
そのため、各データ線毎に、そのデータ線上に接続された画素回路２０の有機ＥＬ素子２１の膜厚の相違に基づく駆動電流に対する輝度の相違を補償するためのデータ値を補正データΔｈ１〜Δｈｍとして記憶させている。
【００３３】
セレクタ３２は、前記補正データメモリ３１に記憶させた各データ線Ｘ１〜Ｘｍに対する補正データΔｈ１〜Δｈｍを順番に演算器３３に出力する。すなわち、セレクタ３２は、制御回路１４からの第１タイミング信号ＳＴ１に応答してデータ線Ｘ１の補正データΔｈ１からデータ線Ｘｍの補正データΔｈｍまでの各補正データを順番に読み出して演算器３３に出力する。
【００３４】
前記演算器３３は、制御回路１４からの１フレームの画像データＤＴを入力し、同画像データＤＴを前記補正データΔｈ１〜Δｈｍを用いて補正してラインメモリ３４に出力する。１フレームの画像データＤＴは、各画素回路２０の輝度を設定するためのデータであって、制御回路１４から出力される。１フレームの画像データＤＴは、１つの走査線について各データ線Ｘ１〜Ｘｍに供給するための階調データ（本実施形態ではデジタル値）がデータ線Ｘ１からデータ線Ｘｍまで順番に且つ連続して出力されるラインデータから構成される。そして、その各走査線毎のラインデータが走査線Ｙ１から走査線Ｙｎまで順番にかつ連続して出力される。そして、演算器３３は、順番に入力されてくる各走査線毎のその走査線に対するラインデータ中の各データ線Ｘ１〜Ｘｍに対する階調データを、その各データ線Ｘ１〜Ｘｍの補正データΔｈ１〜Δｈｍでそれぞれ補正する。
【００３５】
補正データΔｈ１〜Δｈｍにて補正された各データ線Ｘ１〜Ｘｍの階調データよりなる各走査線に対するラインデータは、ラインメモリ３４に出力される。ラインメモリ３４は前記各データ線Ｘ１〜Ｘｍの数だけメモリ部３４ａが備えられている。各メモリ部３４ａは、各データ線Ｘ１〜Ｘｍに対応して設けられ、１つの走査線におけるラインデータに含まれる補正された各階調データが制御回路１４からの第２タイミング信号ＳＴ２に応答してそれぞれ振り分けられて記憶される。
【００３６】
各メモリ部３４ａに記憶された補正された各階調データは、デジタル・アナログ変換回路３５に出力される。デジタル・アナログ変換回路３５は前記各データ線Ｘ１〜Ｘｍの数だけ変換部３５ａが備えられている。各変換部３５ａは、各データ線Ｘ１〜Ｘｍに対応して設けられ、対応する前記ラインメモリ３４のメモリ部３４ａから補正された階調データがそれぞれ入力される。各変換部３５ａは、それぞれの補正された階調データに基づいて各データ線Ｘ１〜Ｘｍに供給するアナログデータ電流Ｉｄ１〜Ｉｄｍをそれぞれ生成する。そして、生成された各アナログデータ電流Ｉｄ１〜Ｉｄｍは、走査線の選択と同期してそれぞれのデータ線Ｘ１〜Ｘｍを介して画素回路２０に供給される。
【００３７】
従って、各データ線Ｘ１〜Ｘｍの供給されるアナログデータ電流Ｉｄ１〜Ｉｄｍは、常にそれぞれ各データ線Ｘ１〜Ｘｍ毎にそれぞれの補正データΔｈ１〜Δｈｍで補正された階調データに基づいて生成される。その結果、各データ線Ｘ１〜Ｘｍにおいて、そのデータ線に接続された各画素回路２０の有機ＥＬ素子２１は、同じ補正データで補正された階調データで生成されたアナログデータ電流に基づく輝度で発光することになる。
【００３８】
これによって、有機ＥＬ素子２１の形成時における列方向毎で各有機ＥＬ素子２１の膜厚の相違に基づく駆動電流に対する輝度の相違が補償されることになる。
【００３９】
制御回路１４は、有機ＥＬディスプレイ１０に１フレームの画像を表示するための前記画像データＤＴ（ラインデータ）を生成し前記データ線駆動回路１３に出力する。制御回路１４は、その生成したラインデータを所定のタイミングでデータ線駆動回路１３の演算器３３に出力する。この時、制御回路１４はデータ線駆動回路１３のセレクタ３２に対して第１タイミング信号ＳＴ１を出力する。制御回路１４はデータ線駆動回路１３のラインメモリ３４に対して第２タイミング信号ＳＴ２を出力する。
【００４０】
制御回路１４は、走査線駆動回路１２に対して第３タイミング信号ＳＴ３を出力する。走査線駆動回路１２は、第３タイミング信号ＳＴ３に基づいて前記走査線を順番に選択しその選択された走査線上の各画素回路２０を制御するための走査信号ＳＣ１１〜ＳＣｎ１、ＳＣ１２〜ＳＣｎ２を出力する。
【００４１】
次に、上記のように構成した有機ＥＬディスプレイ１０の作用を説明する。
制御回路１４は、データ線駆動回路１３に対して画像データＤＴ（ラインデータ）を出力するとともに第１及び第２タイミング信号ＳＴ１，ＳＴ２を出力する。データ線駆動回路１３の演算器３３は、画像データＤＴを補正データメモリ３１に記憶した補正データΔｈ１〜Δｈｍを用いて補正してラインメモリ３４に出力する。ラインメモリ３４は、制御回路１４からの第２タイミング信号ＳＴ２に応答して、各メモリ部３４ａにラインデータに含まれる補正された各階調データがそれぞれ振り分けられて記憶される。
【００４２】
各メモリ部３４ａに記憶された補正された各階調データは、デジタル・アナログ変換回路３５の対応する変換部３５ａに出力される。各変換部３５ａは、入力した階調データに基づいて各データ線Ｘ１〜Ｘｍに供給するアナログデータ電流Ｉｄ１〜Ｉｄｍをそれぞれ生成し、前記走査線の選択と同期してそれぞれのデータ線Ｘ１〜Ｘｍを介して画素回路２０に供給される。
【００４３】
各データ線Ｘ１〜Ｘｍの供給されるアナログデータ電流Ｉｄ１〜Ｉｄｍは、各データ線Ｘ１〜Ｘｍ毎にそれぞれの補正データΔｈ１〜Δｈｍで補正された階調データに基づいて生成される。そして、各データ線Ｘ１〜Ｘｍにおいて、そのデータ線に接続された各画素回路２０の有機ＥＬ素子２１は、アナログデータ電流Ｉｄ１〜Ｉｄｍに基づく輝度で発光する。この各有機ＥＬ素子２１の発光は、同有機ＥＬ素子２１の形成時における列方向毎で各有機ＥＬ素子２１の膜厚の相違に基づく駆動電流に対する輝度の相違が補償されて発光する。
【００４４】
このように、走査線駆動回路１２は、Ｈレベルの第１及び第２走査信号ＳＣ１１〜ＳＣｎ１、ＳＣ１２〜ＳＣｎ２を順次出力し各走査線Ｙ１〜Ｙｎを順番に選択していく。一方、データ線駆動回路１３は、各走査線Ｙ１〜Ｙｎ（Ｙ１１〜Ｙｎ１）が選択される毎に、その時々の画像データ（ラインデータ）ＤＴを入力し補正して、その選択された走査線上の各画素回路２０にアナログデータ電流Ｉｄ１〜Ｉｄｍを順次出力する。そして、選択された走査線上の各画素回路２０の有機ＥＬ素子２１がアナログデータ電流Ｉｄ１〜Ｉｄｍに応じた輝度で発光することによって、有機ＥＬディスプレイ１０に１フレームの画像が表示される。
【００４５】
次に、上記のように構成した有機ＥＬディスプレイ１０の特徴を以下に記載する。
（１）本実施形態では、各データ線Ｘ１〜Ｘｍの供給されるアナログデータ電流Ｉｄ１〜Ｉｄｍは、常にそれぞれ各データ線Ｘ１〜Ｘｍ毎にそれぞれの補正データΔｈ１〜Δｈｍで補正された階調データに基づいて生成した。そして、各データ線Ｘ１〜Ｘｍにおいて、そのデータ線に接続された各画素回路２０の有機ＥＬ素子２１を、その補正された階調データで生成されたアナログデータ電流Ｉｄ１〜Ｉｄｍに基づく輝度で発光させる。
【００４６】
従って、有機ＥＬ素子２１の形成時における列方向毎でばらつく各有機ＥＬ素子２１の膜厚に基づいて発生する駆動電流に対する輝度の相違を補償して有機ＥＬ素子２１を発光させることができる。
【００４７】
（第２実施形態）
次に、第１実施形態で説明した電気光学装置としての有機ＥＬディスプレイ１０の電子機器の適用について図４に従って説明する。有機ＥＬディスプレイ１０は、モバイル型のパーソナルコンピュータ、携帯電話、デジタルカメラ等種々の電子機器に適用できる。
【００４８】
図４は、モバイル型パーソナルコンピュータの構成を示す斜視図を示す。図４において、パーソナルコンピュータ６０は、キーボード６１を備え本体部６２と、前記有機ＥＬディスプレイ１０を用いた表示ユニット６３を備えている。この場合でも、有機ＥＬディスプレイ１０を用いた表示ユニット６３は前記実施形態と同様な効果を発揮する。その結果、パーソナルコンピュータ６０の表示品位を向上させることができる。
【００４９】
尚、本発明の実施形態は、以下のように変更してもよい。
○前記実施形態では、補正データΔｈ１〜Δｈｍを使った補正は、演算器３３を使って補正した。これに代えて、ラインメモリ３４の各メモリ部３４ａからデジタル・アナログ変換回路３５の変換部３５ａに出力する際に、補正データΔｈ１〜Δｈｍを使って補正し各変換部３５ａそれぞれに出力するようにして実施してもよい。
【００５０】
○前記実施形態では、画素回路２０に供給するデータ信号は、アナログデータ電流Ｉｄ１〜Ｉｄｍであったが、アナログデータ電圧であってもよい。
○前記実施形態では、画素回路にアナログ（多値）のデータ信号を供給したが、これに代えて、時分割階調、面積階調等のデジタル駆動させる電気光学装置に応用してもよい。
【００５１】
○前記実施形態では、各データ線Ｘ１〜Ｘｍ毎にそれぞれの補正データΔｈ１〜Δｈｍを設けた。これに代えて、図５に示すように、各領域Ａ，Ｂ，Ｃ、Ｄ…を単位として補正データを作成し、それぞれの領域に属する各データ線のアナログデータ電流をその領域の共通の補正データで補正して作成してもよい。この場合、補正データの数が領域の数だけとなり、補正データメモリ３１のメモリ容量が少なくて済む。勿論、検査等によって、補償しなければならないデータ線上の画素回路がある場合に、その補償しなければならないデータ線に対する補正データだけを作成して実施してもよい。
【図面の簡単な説明】
【図１】有機ＥＬディスプレイの回路構成を示す電気ブロック回路図。
【図２】画素回路とデータ線駆動回路の内部回路構成をするための回路図。
【図３】走査線の選択を説明するためのタイミングチャート。
【図４】第２実施形態を説明するための有機ＥＬディスプレイを実装したパーソナルコンピュータの斜視図。
【図５】インクジェット方式による有機ＥＬ素子の形成原理、有機ＥＬ素子形成位置とそのＥＬ層の膜厚との関係、及び、膜厚と輝度との関係を説明する図。
【符号の説明】
１０…電気光学装置としての有機ＥＬディスプレイ、１１…表示パネル部、１２…走査線駆動回路、１３…データ線駆動回路、１４…制御回路、２０…画素回路、２１…電気光学素子としての有機ＥＬ素子、３１…補正データメモリ、３１ａ…メモリ部、３２…セレクタ、３３…演算器、３４…ラインメモリ、３４ａ…メモリ部、３５…デジタル・アナログ変換回路、３５ａ…変換部、６０…電子機器としてのパーソナルコンピュータ、Ｙ１〜Ｙｎ…走査線、Ｘ１〜Ｘｍ…データ線、Δｈ１〜Δｈｍ…補正データ、Ｉｄ１〜Ｉｄｍ…データ信号としてのアナログデータ電流、ＤＴ…画像データ、Ａ，Ｂ，Ｃ，Ｄ…領域、Ｑｓｗ１，Ｑｓｗ２…第１及び第２スイッチングトランジスタ、Ｑｄ…駆動トランジスタ、Ｃ１…保持キャパシタ。
【図１】
2004246029.tif 000003
【図２】
2004246029.tif 000004
【図３】
2004246029.tif 000005
【図４】
2004246029.tif 000006
【図５】
2004246029.tif 000007